(57)【要約】【課題】小規模で、初期費用、ランニングコスト、メンテナンスコストを低減可能な防犯装置を提供する。【解決手段】複数の赤外線センサー３２と、記憶装置３４と、判定部３６と、を備えるセンサーユニット３０により、記憶装置３４に予め格納した人間の検知パターンと、実際に検知した赤外線センサー３２の検知信号と、を判定部３６により比較判定し、人間の侵入を検知した場合、制御部１０により、回転灯２０と、ブザー２１と、による報知を行うとともに、予め登録した通報先に通報する通信部４０から構成される。【選択図】図１
2015106355.tif 000002
【特許請求の範囲】
【請求項１】
携帯電話を用いて外部との通信を行う通信手段と、
赤外線により検知対象物を検知するセンサーユニットと、
音により異常を報知するアラーム音発生手段と、
光により異常を報知する光報知手段と、
前記センサーユニットにより、所定の領域に前記検知対象物としての人が侵入したことを検知した場合に、前記アラーム音発生手段又は前記光報知手段のうち少なくとも１つにより異常を報知するとともに、前記通信手段を介して、外部に異常が発生した旨の通信を行う制御手段と、
を備えたことを特徴とする防犯装置。
【請求項２】
請求項１に記載の防犯装置において、
前記センサーユニットは、
複数の赤外線センサーを略垂直方向及び略水平方向に配置して構成された赤外線検出部と、
前記複数の赤外線センサーのうち前記検知対象物を検知した赤外線センサーの検知時間の差及び前記検知対象物を検知した赤外線センサーの配置位置に基づき、前記検知対象物の長さ及び高さを判別する判定部と、
を備えたことを特徴とする防犯装置。
【請求項３】
請求項２に記載の防犯装置において、
前記センサーユニットは、
前記検知対象物としての人間を判定するための、前記複数の赤外線センサー間の検知時間の差データ及び前記複数の赤外線センサーの配置位置データとを予め格納したデータ格納手段を備え、
前記判定部は、
前記データ格納手段に予め格納された、前記検知対象物としての人間を判定するための、前記複数の赤外線センサー間の検知時間の差データ及び前記複数の赤外線センサーの配置位置データと、前記複数の赤外線センサーから出力される、前記複数の赤外線センサー間の検知時間の差データ及び前記複数の赤外線センサーの配置位置データと、を比較することによって、前記検知対象物が人間であることを判定することを特徴とする防犯装置。
【請求項４】
請求項１〜請求項３のいずれか１項に記載の防犯装置において、
前記通信手段における前記携帯電話は、
１つの動作によって、予め登録されている送信先にデータを送信する作動手段を備え、
さらに、前記通信手段は、前記携帯電話の作動手段を駆動する駆動手段を備えており、
前記制御手段は、
前記センサーユニットによる検知対象物の検知が行われた場合に、前記駆動手段を作動させることにより、前記携帯電話を介して、予め登録されている送信先に異常が発生した旨の通信を行うことを特徴とする防犯装置。
【発明の詳細な説明】
【技術分野】
【０００１】
本発明は、赤外線センサーにより所定の領域に侵入した人間を検知し、報知する防犯装置に関する。
【背景技術】
【０００２】
従来、警備会社等で用いられる防犯システムは、屋内外の侵入者をセンサーが検知すると、固定電話回線を経由して、侵入者があったことを警備会社の集中管理センターに通知し、通知を受けた集中管理センターから警備員の待機場所に対する指令により警備員が現場に駆けつけるようになっている（例えば、特許文献１参照）。
【先行技術文献】
【特許文献】
【０００３】
【特許文献１】特開２００４−２６５２５４号公報
【発明の概要】
【発明が解決しようとする課題】
【０００４】
このように、警備会社で集中的に監視されているが、初期費用、ランニングコスト、メンテナンスコストが多額となり、小規模な施設での導入は進んでいない状況である。機器のみを販売、貸出しするシステムもあるが、いずれも１００Ｖ電源、固定電話回線又はインターネット回線の契約、パソコンが必要となる。
【０００５】
ところが、上記従来の防犯システムでは、警備会社での集中的な監視は可能であるが、システムの規模が大きく、初期費用、ランニングコスト、メンテナンスコストが多額となり、小規模な施設での導入し難いという問題がある。
【０００６】
本発明は、こうした問題に鑑みなされたもので、小規模で、初期費用、ランニングコスト、メンテナンスコストを低減可能な防犯装置を提供することを目的とする。
【課題を解決するための手段】
【０００７】
この欄においては、発明に対する理解を容易にするため、必要に応じて「発明を実施するための形態」欄において用いた符号を付すが、この符号によって請求の範囲を限定することを意味するものではない。
【０００８】
上記「発明が解決しようとする課題」において述べた問題を解決するためになされた発明は、携帯電話（４２）を用いて外部との通信を行う通信手段（４０）と、赤外線により検知対象物を検知するセンサーユニット（３０）と、音により異常を報知するアラーム音発生手段（２１）と、光により異常を報知する光報知手段（２０）と、センサーユニット（３０）により、所定の領域に検知対象物としての人が侵入したことを検知した場合に、アラーム音発生手段（２１）又は光報知手段（２０）のうち少なくとも１つにより異常を報知するとともに、通信手段（４０）を介して、外部に異常が発生した旨の通信を行う制御手段（１０）と、を備えた防犯装置（１）である。
【０００９】
このような防犯装置（１）は、携帯電話（４２）を用いた通信手段（４０）、センサーユニット（３０）、アラーム音発生手段（２１）、光報知手段（２０）及び制御手段（１０）という簡易で小規模な構成であり、また、赤外線により検知対象物を検知するセンサーユニット（３０）により、所定の領域に人が侵入したことを検出した場合に、その旨を報知するとともに、通信手段（４０）を介して外部に通信することができる。
【００１０】
つまり、従来のように、警備のための集中的な管理が不要であり、小規模で、初期費用、ランニングコスト、メンテナンスコストを低減可能な防犯装置（１）とすることができる。
【００１１】
また、請求項２に記載のように、センサーユニット（３０）を、複数の赤外線センサー（３２ａ，３２ｂ，３２ｃ，３２ｄ）を略垂直方向及び略水平方向に配置して構成された赤外線検出部（３２）と、複数の赤外線センサー（３２ａ，３２ｂ，３２ｃ，３２ｄ）のうち検知対象物を検知した赤外線センサー（３２ａ，３２ｂ，３２ｃ，３２ｄ）の検知時間の差及び検知対象物を検知した赤外線センサー（３２ａ，３２ｂ，３２ｃ，３２ｄ）の配置位置に基づき、検知対象物の長さ及び高さを判別する判定部（３６）と、を備えるようにするとよい。
【００１２】
このようにすると、複数の赤外線センサー（３２）を配置することにより、各赤外線センサー（３２）の検知時間の差及び検知した赤外線センサー（３２）の配置位置に基づき、検知した対象物の長さ及び高さを判別することができ、センサーユニット（３０）の人間検出精度が向上する。
【００１３】
さらに、請求項３に記載のように、センサーユニット（３０）を、検知対象物としての人間を判定するための、複数の赤外線センサー（３２ａ，３２ｂ，３２ｃ，３２ｄ）間の検知時間の差データ及び複数の赤外線センサー（３２ａ，３２ｂ，３２ｃ，３２ｄ）の配置位置データとを予め格納したデータ格納手段（３４）を備えるようにし、判定部（３６）を、データ格納手段（３４）に予め格納された、検知対象物としての人間を判定するための、複数の赤外線センサー（３２ａ，３２ｂ，３２ｃ，３２ｄ）間の検知時間の差データ及び複数の赤外線センサー（３２ａ，３２ｂ，３２ｃ，３２ｄ）の配置位置データと、複数の赤外線センサー（３２ａ，３２ｂ，３２ｃ，３２ｄ）から出力される、複数の赤外線センサー（３２ａ，３２ｂ，３２ｃ，３２ｄ）間の検知時間の差データ及び複数の赤外線センサー（３２ａ，３２ｂ，３２ｃ，３２ｄ）の配置位置データと、を比較することによって、検知対象物が人間であることを判定するようにするとよい。
【００１４】
このようにすると、予め格納された検知パターンデータと、実際に検知されたデータとを比較し、検知されたデータが人間であるかを判別することができ、センサーユニット（３０）の人間検出精度が向上する。
【００１５】
また、請求項４に記載のように、通信手段（４０）における携帯電話（４２）は、１つの動作によって、予め登録されている送信先にデータを送信する作動手段を備え、さらに、通信手段（４０）は、携帯電話（４２）の作動手段を駆動する駆動手段（１１）を備えており、制御手段（１０）は、センサーユニット（３０）による検知対象物の検知が行われた場合に、駆動手段（１１）を作動させることにより、携帯電話（４２）を介して、予め登録されている送信先に異常が発生した旨の通信を行うようにするとよい。
【００１６】
このようにすると、センサーユニット（３０）が検知を行うと、携帯電話（４２）の１つの動作によって、外部に異常の発生を通報することができ、携帯電話（４２）の契約のみで外部への通報が可能となる。
【図面の簡単な説明】
【００１７】
【図１】防犯装置の概略の構成を示すブロック図である。
【図２】センサーユニットの概略の構成を示す図である。
【図３】制御部における制御処理の流れを示すフローチャートである。
【発明を実施するための形態】
【００１８】
以下に説明する「発明の実施形態」は実施形態の一例を示すものである。つまり、特許請求の範囲に記載された発明特定事項等は、下記の実施形態に示された具体的手段や構造等に限定されるものではない。
（防犯装置１の構成）
図１に基づき、防犯装置１の構成について説明する。図１は、防犯装置１の概略の構成を示すブロック図である。
【００１９】
図１に示すように、防犯装置１は、制御部１０、回転灯２０、ブザー２１、センサーユニット３０及び通信部４０を備えている。
センサーユニット３０は、赤外線により異常を検知するものであり、詳細は後述する。
【００２０】
通信部４０は、携帯電話４２を用いて外部との通信を行う通信装置である。通信部４０の携帯電話４２は、１つの動作によって、予め登録されている送信先にデータを送信する作動機構を有しているものであり、具体的には、子供用防犯携帯電話４２で、ひもを引くと、予め登録してある電話番号に通知する携帯電話である。
【００２１】
また、通信部４０は、携帯電話４２を作動させるための駆動部１１を有している。この駆動部１１のひもを引くためのモータであり、制御部からの作動信号により回転することにより駆動部１１のひもを引き、携帯電話４２を作動させる。
【００２２】
ブザー２１は、音により以上を報知するための装置であり、制御部１０からの信号により音を発生する。
回転灯２０は、光の点滅により以上を放置するための装置であり、制御部１０からの信号により、光の点灯及び点滅を行う。具体的には、図示しない白熱電球やＬＥＤなどの発光体の周りに、その周囲の一部に切り欠き部分を有する図示しない反射板を有しており、制御部１０からの信号により、発光体を点灯させるとともに、回転体を回転させ、一方向から見た場合の光を点滅させるようになっている。
【００２３】
制御部１０は、図示しないＣＰＵ、ＲＯＭ、ＲＡＭ、Ｉ／Ｏなどを備えており、ＲＯＭに格納されたプログラムにより下記（ア）〜（ウ）に示す処理を実行する。
（ア）センサーユニット３０から、所定の領域に検知対象物としての人が侵入したか否かの情報（信号）を取得する。
【００２４】
（イ）所定の領域に検知対象物としての人が侵入したか否かの情報（信号）を取得した場合に、ブザー２１及び回転灯２０により異常を報知する
（ウ）さらに、駆動部１１を作動させることにより、携帯電話４２を介して、予め登録されている送信先に異常が発生した旨を通知する。
（センサーユニット３０の構成）
次に図２に基づき、センサーユニット３０の構成について説明する。図２（ａ）は、センサーユニット３０の概略の構成を示すブロック図であり、図２（ｂ）は、センサーユニット３０の赤外線検知部分の概略の構成を示す図である。
【００２５】
図２（ａ）に示すように、センサーユニット３０は、赤外線検出部３２、記憶装置３４及び判定部３６を備えている。
赤外線検出部３２は、図２（ｂ）に示すように、複数の赤外線センサー３２ａ、３２ｂ、３２ｃ、３２ｄを略垂直方向及び略水平方向に配置して構成されている。各赤外線センサ−３２ａ〜３２ｄは、ボロメータ、ＩｎＳｂ、ＨｇＣｄＴｅなどの赤外線を検出するための素子であり、センサーユニット３０の設置場所などの温度、振動などの条件によって適宜選択する。
【００２６】
記憶装置３４は、ハードディスクなどの大容量記憶装置やＵＳＢなどの可搬式記憶装置であり、検知対象物としての人間を判定するための、複数の赤外線センサー３２ａ〜３２ｄ間の検知時間の差データ及び複数の赤外線センサー３２ａ〜３２ｄの配置位置データとを予め格納してある。
【００２７】
判定部３６は、記憶装置３４に予め格納された、検知対象物としての人間を判定するための、複数の赤外線センサー３２ａ〜３２ｄ間の検知時間の差データ及び複数の赤外線センサー３２ａ〜３２ｄの配置位置データと、複数の赤外線センサー３２ａ〜３２ｄから出力される、複数の赤外線センサー３２ａ〜３２ｄ間の検知時間の差データ及び複数の赤外線センサー３２ａ〜３２ｄの配置位置データと、を比較することによって、検知対象物が人間であることを判定する。そして、検知対象物が人間であると判定した場合、異常信号を制御部１０へ出力する。
【００２８】
複数の赤外線センサー３２ａ〜３２ｄの記憶装置３４に格納された検知時間の差データ及び配置位置データと、実際の検知時間の差及び配置位置とを比較する方法としては、パターンマッチングなどである。
【００２９】
つまり、複数の赤外線センサー３２ａ〜３２ｄから実際に出力される検知時間及び配置位置が、記憶装置３４に格納されている検知時間データ及び配置位置データに対して所定の許容左内にあれば検知提唱物が人間であると判定するのである。
（制御部１０における処理）
次に、図３に基づき制御部１０における制御処理について説明する。図３は、制御部１０における制御処理の流れを示すフローチャートである。
【００３０】
制御処理は、制御部１０の電源オンとともに処理が開始され、ＣＰＵが、まず、Ｓ１００において、センサーユニット３０から、所定の領域に検知対象物としての人が侵入したか否かの情報を取得する。
【００３１】
続くＳ１０５では、Ｓ１００において取得した信号に基づき、所定の領域に人が侵入下か否かを判定する。そして、人が侵入していると判定した場合（Ｓ１０５：Ｙｅｓ）、処理をＳ１１０へ移行し、人が侵入していないと判定した場合（Ｓ１０５：Ｎｏ）、処理をＳ１００へ戻し、制御処理を繰り返す。
【００３２】
Ｓ１１０では、ブザー２１へ作動信号を出力し、ブザー２１から警告音を発生させ、続くＳ１１５では、回転灯２０へ作動信号を出力し、回転灯２１を点滅させ警告表示を行う。
【００３３】
続くＳ１２０では、駆動部１１へ作動信号を出力し、駆動部を作動させる、つまり、モーターを回転させることにより、携帯電話４２のひもを引っ張ることにより携帯電話４２を作動させ、携帯電話に予め登録してある送信先に異常が発生した旨を通知する。
【００３４】
Ｓ１２０終了後、処理をＳ１００へ戻し、制御処理を繰り返す。なお、制御処理は、制御部１０の電源オフとともに、処理が終了となる。
（防犯装置１の特徴）
上記のような防犯装置１は、携帯電話４２を用いた通信部４０、センサーユニット３０、ブザー２１、回転灯２０及び制御部１０という簡易で小規模な構成であり、また、赤外線により検知対象物を検知するセンサーユニット３０により、所定の領域に人が侵入したことを検出した場合に、その旨を報知するとともに、通信部４０を介して外部に通信することができる。つまり、従来のように、警備のための集中的な管理が不要であり、小規模で、初期費用、ランニングコスト、メンテナンスコストを低減可能な防犯装置１とすることができる。
【００３５】
また、センサーユニット３０として複数の赤外線センサー３２を配置することにより、各赤外線センサー３２の検知時間の差及び検知した赤外線センサー３２の配置位置に基づき、検知した対象物の長さ及び高さを判別することができ、センサーユニット３０の人間検出精度が向上する。
【００３６】
さらに、予め格納された検知パターンデータと、実際に検知されたデータとを比較し、検知されたデータが人間であるかを判別することができ、センサーユニット３０の人間検出精度が向上する。
【００３７】
また、センサーユニット３０が検知を行うと、携帯電話４２の１つの動作によって、外部に異常の発生を通報することができ、携帯電話４２の契約のみで外部への通報が可能となる。
（その他の実施形態）
以上、本発明は上述した実施形態に何ら限定されるものではなく、その技術的範囲を逸脱しない限り、種々なる形態で実施可能である。
【００３８】
（イ）上記実施形態では、アラーム音発生手段としてブザー２１を用いたが、予め録音された音声を再生するスピーカー等、音声を発生するものでもよい。
（ロ）上記実施形態では、光報知手段として回転灯２０を用いたが、光が点滅するものであれば、フラッシュやＬＥＤなどであってもよい。
【符号の説明】
【００３９】
１… 防犯装置  １０… 制御部  １１… 駆動部  ２０… 回転灯  ２１… ブザー
３０… センサーユニット  ３２… 赤外線検出部  ３２ａ，３２ｂ，３２ｃ，３２ｄ… 赤外線センサー  ３４… 記憶装置  ３６… 判定部  ４０… 通信部  ４２… 携帯電話（ 子供用防犯携帯電話）。
【図１】
2015106355.tif 000003
【図２】
2015106355.tif 000004
【図３】
2015106355.tif 000005